(57)【要約】【課題】回路遮断器同士の端子接続が容易な回路遮断器及び複合遮断器を提供する。【解決手段】回路遮断器は、保護対象の回路が所定の回路状態になったときに、回路を遮断する。回路遮断器は、連接する他の回路遮断器と導通させる端子部１５，１６と、回路遮断器同士の端子部１５，１６を接続するプラグ２０と、を備える。プラグ２０は、回路遮断器同士が対向する側面部２１，２２において接続される。【選択図】図３
2014199757.tif 000002
【特許請求の範囲】
【請求項１】
保護対象の回路が所定の回路状態になったときに、回路を遮断する回路遮断器において、
連接する他の回路遮断器と導通させる端子部と、
回路遮断器同士の前記端子部を接続する連結部材と、を備え、
前記連結部材は、回路遮断器同士が対向する側面部において接続される、又は複数の回路遮断器に共用されて、各前記端子部同士を接続する複数の導体を一体に備える
ことを特徴とする回路遮断器。
【請求項２】
請求項１に記載の回路遮断器において、
前記端子部は、一方の側面部に他の回路遮断器と接続する第１端子部と、他方の側面部に他の回路遮断器とは別の回路遮断器と接続する第２端子部と、を備え、
前記連結部材は、前記第１端子部に取り付けられて側面から突出して、連接する回路遮断器の前記第２端子部に挿入される
ことを特徴とする回路遮断器。
【請求項３】
前記連結部材は、前記第１端子部に対して着脱可能である
ことを特徴とする請求項２に記載の回路遮断器。
【請求項４】
保護対象の回路が所定の回路状態になったときに、回路を遮断する回路遮断器を複数備えた複合遮断器において、
連接する他の回路遮断器と導通させる端子部と、
回路遮断器同士の前記端子部を接続する連結部材と、を備え、
前記端子部は、導体を挿入する複数の挿入口を備え、
前記連結部材は、前記挿入口から挿入されて、各回路遮断器の端子部同士を交互に導通させる複数の導体を一体に備える
ことを特徴とする複合遮断器。
【請求項５】
保護対象の回路が所定の回路状態になったときに、回路を遮断する回路遮断器を複数備えた複合遮断器において、
連接する他の回路遮断器と導通させる端子部と、
回路遮断器同士の前記端子部を接続する連結部材と、を備え、
前記端子部は、回路遮断器の連接方向と直交する前後方向にずらして配置された第１端子部及び第２端子部と、前記第１端子部が内面に露出して両側面を貫通する第１貫通孔と、前記第２端子部が内面に露出して両側面を貫通する第２貫通孔と、を備え、
前記連結部材は、前記第１貫通孔に貫装されて前記第１端子部に接触する第１導電部材と、前記第２貫通孔に貫装されて前記第２端子部に接触する第２導電部材と、前記第１導電部材と前記第２導電部材とを保持する把持部と、を備え、
複数の回路遮断器を連結した後に、前記把持部を把持して、前記第１導電部材と前記第２導電部材とを前後の各前記貫通孔に貫装することで、連結された回路遮断器を導通させる
ことを特徴とする複合遮断器。
【請求項６】
保護対象の回路が所定の回路状態になったときに、回路を遮断する回路遮断器を複数備えた複合遮断器において、
連接する他の回路遮断器と導通させる端子部と、
回路遮断器同士の前記端子部を接続する連結部材と、を備え、
前記端子部は、回路遮断器の連接方向と直交する上下方向にずらして配置された第１端子部及び第２端子部と、前記第１端子部が内面に露出して両側面を貫通する第１貫通孔と、前記第２端子部が内面に露出して両側面を貫通する第２貫通孔と、を備え、
前記連結部材は、前記貫通孔に貫装され、前記第１端子部に接触する第１導電部材と、前記第２端子部に接触する第２導電部材と、前記第１導電部材と前記第２導電部材とを保持する把持部と、を備え、
複数の回路遮断器を連結した後に、前記把持部を把持して、前記第１導電部材と前記第２導電部材とを上下の各前記貫通孔に貫装することで連結された回路遮断器を導通させる
ことを特徴とする複合遮断器。
【発明の詳細な説明】
【技術分野】
【０００１】
本発明は、回路遮断器及び複合遮断器に関する。
【背景技術】
【０００２】
回路遮断器は、電源と負荷とを接続した回路において所定の回路状態に達した際には、接点間を引き外して回路を遮断する（例えば、特許文献１参照）。回路遮断器は、例えば、配線用遮断器、漏電遮断器、過電圧遮断器、不足電圧遮断器等がある。配線用遮断器は、短絡又は過負荷による異常電流が流れた際に回路を遮断する。漏電遮断器は、漏電が発生した際に回路を遮断する。過電圧遮断器は、回路の電圧が所定電圧よりも高い際に回路を遮断する。不足電圧遮断器は、回路の電圧が所定電圧よりも低い際に回路を遮断する。
【０００３】
上記の回路遮断器は、用途に応じて、上記の回路遮断器を組み合わせて、複合遮断器として使用することもある。
【先行技術文献】
【特許文献】
【０００４】
【特許文献１】特開２０００−２３１８６９号公報
【発明の概要】
【発明が解決しようとする課題】
【０００５】
ところで、上記の回路遮断器では、複合遮断器として使用する際には、回路遮断器を１台追加するごとに、各回路遮断器の端子部に接続線を取り付ける必要がある。つまり、回路遮断器を連接していくと、回路が増え、施工時間が長くなり、煩雑である。そこで、回路遮断器同士の端子接続が容易な回路遮断器及び複合遮断器が求められている。
【０００６】
本発明は、こうした実情に鑑みてなされたものであり、その目的は、回路遮断器同士の端子接続が容易な回路遮断器及び複合遮断器を提供することにある。
【課題を解決するための手段】
【０００７】
以下、上記目的を達成するための手段及びその作用効果について説明する。
上記課題を解決する回路遮断器は、保護対象の回路が所定の回路状態になったときに、回路を遮断する回路遮断器であって、連接する他の回路遮断器と導通させる端子部と、回路遮断器同士の前記端子部を接続する連結部材と、を備え、前記連結部材は、回路遮断器同士が対向する側面部において接続される、又は複数の回路遮断器に共用されて、各前記端子部同士を接続する複数の導体を一体に備えることをその要旨としている。
【０００８】
上記回路遮断器、複合遮断器について、前記端子部は、一方の側面部に他の回路遮断器と接続する第１端子部と、他方の側面部に他の回路遮断器とは別の回路遮断器と接続する第２端子部と、を備え、前記連結部材は、前記第１端子部に取り付けられて側面から突出して、連接する回路遮断器の前記第２端子部に挿入されることが好ましい。
【０００９】
上記回路遮断器、複合遮断器について、前記連結部材は、前記第１端子部に対して着脱可能であることが好ましい。
上記課題を解決する複合遮断器について、保護対象の回路が所定の回路状態になったときに、回路を遮断する回路遮断器を複数備えた複合遮断器であって、連接する他の回路遮断器と導通させる端子部と、回路遮断器同士の前記端子部を接続する連結部材と、を備え、前記端子部は、導体を挿入する複数の挿入口を備え、前記連結部材は、前記挿入口から挿入されて、各回路遮断器の端子部同士を交互に導通させる複数の導体を一体に備えることが好ましい。
【００１０】
上記課題を解決する複合遮断器について、保護対象の回路が所定の回路状態になったときに、回路を遮断する回路遮断器を複数備えた複合遮断器であって、連接する他の回路遮断器と導通させる端子部と、回路遮断器同士の前記端子部を接続する連結部材と、を備え、前記端子部は、回路遮断器の連接方向と直交する前後方向にずらして配置された第１端子部及び第２端子部と、前記第１端子部が内面に露出して両側面を貫通する第１貫通孔と、前記第２端子部が内面に露出して両側面を貫通する第２貫通孔と、を備え、前記連結部材は、前記第１貫通孔に貫装されて前記第１端子部に接触する第１導電部材と、前記第２貫通孔に貫装されて前記第２端子部に接触する第２導電部材と、前記第１導電部材と前記第２導電部材とを保持する把持部と、を備え、複数の回路遮断器を連結した後に、前記把持部を把持して、前記第１導電部材と前記第２導電部材とを前後の各前記貫通孔に貫装することで、連結された回路遮断器を導通させることが好ましい。
【００１１】
上記課題を解決する複合遮断器について、保護対象の回路が所定の回路状態になったときに、回路を遮断する回路遮断器を複数備えた複合遮断器であって、連接する他の回路遮断器と導通させる端子部と、回路遮断器同士の前記端子部を接続する連結部材と、を備え、前記端子部は、回路遮断器の連接方向と直交する上下方向にずらして配置された第１端子部及び第２端子部と、前記第１端子部が内面に露出して両側面を貫通する第１貫通孔と、前記第２端子部が内面に露出して両側面を貫通する第２貫通孔と、を備え、前記連結部材は、前記貫通孔に貫装され、前記第１端子部に接触する第１導電部材と、前記第２端子部に接触する第２導電部材と、前記第１導電部材と前記第２導電部材とを保持する把持部と、を備え、複数の回路遮断器を連結した後に、前記把持部を把持して、前記第１導電部材と前記第２導電部材とを上下の各前記貫通孔に貫装することで連結された回路遮断器を導通させることが好ましい。
【発明の効果】
【００１２】
本発明によれば、回路遮断器同士の端子接続が容易である。
【図面の簡単な説明】
【００１３】
【図１】回路遮断器の概略図。
【図２】回路遮断器の斜視図。
【図３】回路遮断器の端子部及び連結部材を示す斜視図。
【図４】回路遮断器の端子部及び連結部材を示す斜視図。
【図５】回路遮断器の端子部及び連結部材を示す斜視図。
【図６】回路遮断器の端子部及び連結部材を示す断面図。
【図７】回路遮断器の端子部及び連結部材を示す斜視図。
【図８】回路遮断器の端子部及び連結部材を示す斜視図。
【発明を実施するための形態】
【００１４】
（第１の実施形態）
以下、図１〜図４を参照して、回路遮断器の第１の実施形態について説明する。
図１に示されるように、回路遮断器の筐体１０内には、固定接点１１と可動接点１２とが備えられている。回路遮断器は、ハンドル１３の操作に応じて可動接点１２が固定接点１１に対して接離される。また、回路が所定の回路状態となった際に、可動接点１２が固定接点１１から引き外されることで回路が遮断される。
【００１５】
固定接点１１は、接続線１４を介して電源側端子部１５に接続されている。可動接点１２は、接続線１４を介して負荷側端子部１６に接続されている。電源側端子部１５は、連接された他の回路遮断器の電源側端子部１５と接続されるか、又は電源に接続される。負荷側端子部１６は、連接された他の回路遮断器の負荷側端子部１６と接続されるか、又は負荷に接続される。
【００１６】
図２に示されるように、各端子部１５，１６は、回路遮断器の筐体１０の側面部に設けられている。端子部１５，１６の挿入口１７は、側面に開口している。端子部１５，１６内には、導電性の高い導電板１８が設置されている。導電板１８は、異なる接続線１４に接続されている。
【００１７】
図３に示されるように、回路遮断器の筐体１０の第１側面２１には、上述した挿入口１７が設けられている。一方、筐体１０の第２側面２２には、挿入口１７に圧入される円柱状のプラグ２０が設けられている。プラグ２０は、第２側面２２から突出している。プラグ２０は、端子部１５，１６内に設置された導電板１８に接続されている。なお、プラグ２０が連結部材として機能する。
【００１８】
連接される回路遮断器では、第２側面２２と第１側面２１とが接触される。複数の回路遮断器が接続されて複合遮断器を構成する際には、筐体１０の第２側面２２に設けられたプラグ２０と筐体１０の第１側面２１に設けられた挿入口１７とが対向し、プラグ２０が挿入口１７に圧入される。挿入口１７内に圧入されたプラグ２０は、第１側面２１側の端子部１５，１６内の導電板１８に当接して、プラグ２０を介して回路遮断器同士が導通される。また、回路遮断器を追加する毎に、同様にプラグ２０を挿入口１７に圧入することで、回路遮断器同士を導通できる。すなわち、回路遮断器を連結すると同時に、プラグ２０も挿入口１７内に圧入されるので、接続作業を別途行わずに接続を完了できる。なお、第１側面２１側の側面部に設けられた端子部１５，１６と、第２側面２２側の側面部に設けられた端子部１５，１６とが第１端子部及び第２端子部のいずれかに相当する。
【００１９】
図４に示されるように、プラグ２０は、第２側面２２側の側面部の端子部１５，１６に対して着脱可能である。プラグ２０を取り外した第２側面２２側の側面部の端子部１５，１６には、第１側面２１側の側面部の端子部１５，１６と同様に挿入口１７が形成されている。このため、末端の回路遮断器の場合には、不必要なプラグ２０を取り外すことができる。
【００２０】
以上、説明した実施形態によれば、以下の効果を奏することができる。
（１）遮断を行いたい回路状態に応じて回路遮断器を選択して、複数の回路遮断器を連結する際に、連結部材によって各回路遮断器を導通する。このため、回路遮断器の各端子部に接続線を１ずつ取り付ける必要がなく、回路遮断器同士の端子接続が容易である。
【００２１】
（２）連結部材が第１端子部に取り付けられて側面から突出して、連接する回路遮断器の第２端子部に挿入される。このため、連接する回路遮断器を連結するだけで、連結部材によって導通されるので、回路遮断器同士の端子接続が容易である。
【００２２】
（３）連結部材が第１端子部に対して着脱可能である。このため、連結に使用されない連結部材を外すことで、筐体の外形からの突出をなくすことができる。
（第２の実施形態）
以下、図５及び図６を参照して、回路遮断器を連接した複合遮断器の第２の実施形態について説明する。この実施形態の複合遮断器を構成する回路遮断器は、複数で共用される連結部材によって導通される点が上記第１の実施形態と異なっている。以下、第１の実施形態との相違点を中心に説明する。なお、この実施形態の回路遮断器は、図１に示す第１の実施形態の回路遮断器とほぼ同様の構成を備えている。
【００２３】
図５に示されるように、連接された回路遮断器は、回路遮断器の連接方向に電源側端子部３５と負荷側端子部３６とが並んでいる。連結部材３０は、電源側端子部３５同士及び負荷側端子部３６同士を接続する複数の導体であるリード線３１を一体に備えている。連結部材３０に設けられるリード線３１は、回路遮断器の筐体１０の上面に開口した挿入口３７から挿入される。リード線３１は、同じ端子部３５，３６同士を交互に導通する。電源側端子部３５に接続するリード線３１と負荷側端子部３６に接続するリード線３１とは交わらない。電源側端子部３５に接続されたリード線３１の両端２本を束ねて電源に接続する。負荷側端子部３６に接続されたリード線の両端２本を束ねて負荷に接続する。なお、連結部材３０は、連接させる回路遮断器の数量に合わせた長さを用意する。
【００２４】
図６に示されるように、回路遮断器の端子部３５，３６には、リード線３１と導通し、リード線３１を抜け止めする圧接ばね３８が設けられている。挿入口３７からリード線３１の先端部を端子部３５，３６内に挿入すると、リード線３１が圧接ばね３８に当接して、圧接ばね３８の付勢力によってリード線３１が保持される。
【００２５】
以上、説明した実施形態によれば、第１の実施形態の（１）の効果に加え、以下の効果を奏することができる。
（４）各回路遮断器の端子部３５，３６同士を交互に導通させる複数のリード線３１を一体に備える連結部材３０を挿入口３７から挿入することで端子部３５，３６を接続できる。このため、回路遮断器を連結した後に、連結部材３０を挿入口３７に挿入するだけで導通されるので、回路遮断器同士の端子接続が容易である。
【００２６】
（第３の実施形態）
以下、図７を参照して、回路遮断器を連接した複合遮断器の第３の実施形態について説明する。この実施形態の複合遮断器を構成する回路遮断器は、複数で共用される連結部材によって導通される点が上記第１の実施形態と異なっている。以下、第１の実施形態との相違点を中心に説明する。なお、この実施形態の回路遮断器は、図１に示す第１の実施形態の回路遮断器とほぼ同様の構成を備えている。
【００２７】
図７に示されるように、回路遮断器の電源側端子部４５及び負荷側端子部４６は、回路遮断器の連接方向と直交する前後方向にずらして配置されている。回路遮断器には、筐体１０の両側面を貫通する第１貫通孔４７と、第２貫通孔４８と、を備える。第１貫通孔４７の内面には、電源側端子部４５の導電板４９が露出している。第２貫通孔４８の内面には、負荷側端子部４６の導電板４９が露出している。なお、電源側端子部４５と負荷側端子部４６とが第１端子部及び第２端子部のいずれかに相当する。
【００２８】
連結部材４０は、第１導電部材４１と、第２導電部材４２と、第１導電部材４１と第２導電部材４２とを保持する把持部４３と、を備えている。第１導電部材４１は、第１貫通孔４７に貫装されて電源側端子部４５の導電板４９に接触する。第２導電部材４２は、第２貫通孔４８に貫装されて負荷側端子部４６の導電板４９に接触する。なお、導電部材４１，４２と端子部４５，４６と貫通孔４７，４８との組み合わせは変更可能である。連結部材３０の導電部材４１，４２は、連接させる回路遮断器の数量に合わせた長さを用意する。
【００２９】
複数の回路遮断器を連結した後に、把持部４３を把持して、第１導電部材４１と第２導電部材４２とを前後の第１貫通孔４７と第２貫通孔４８とに貫装することで、連結された回路遮断器を導通させる。このため、一度の接続作業で連結した回路遮断器を導通させることができる。
【００３０】
以上、説明した実施形態によれば、第１の実施形態の（１）の効果に加え、以下の効果を奏することができる。
（５）把持部４３を持って、第１導電部材４１を第１貫通孔４７に、第２導電部材４２を第２貫通孔４８にそれぞれ貫装することで、回路遮断器の連接方向と直交する前後方向にずらして配置された電源側端子部４５の導電板４９及び負荷側端子部４６の導電板４９にそれぞれ接触して導通させる。このため、回路遮断器を連結した後に、連結部材４０の把持部４３を持って、連結部材４０の導電部材４１，４２を各貫通孔４７，４８に差し込むだけで導通されるので、回路遮断器同士の端子接続が容易である。
【００３１】
なお、上記実施形態は、これを適宜変更した以下の形態にて実施することができる。
・上記第１の実施形態では、プラグ２０を第２側面２２から突出させたが、プラグ２０を第１側面２１から突出させてもよい。
【００３２】
・上記第１の実施形態では、プラグ２０を円柱状としたが、プラグ２０を角柱状等の他の形状としてもよい。この場合、挿入口１７の形状をプラグ２０に合わせるのが望ましい。
【００３３】
・上記第１の実施形態では、プラグ２０を着脱可能としたが、取り外しが不要であれば、プラグ２０を端子部１５，１６に固定してもよい。
・上記第２の実施形態では、リード線３１を端子部３５，３６に保持するために圧接ばね３８を採用したが、リード線３１を端子部３５，３６に保持できれば、他の部材で保持してもよい。
【００３４】
・上記第３の実施形態では、回路遮断器の電源側端子部４５及び負荷側端子部４６を、回路遮断器の連接方向と直交する前後方向にずらして配置した。しかしながら、図８に示されるように、回路遮断器の電源側端子部４５及び負荷側端子部４６を、回路遮断器の連接方向と直交する上下方向にずらして配置してもよい。すなわち、電源側端子部４５を上側、負荷側端子部４６を下側に配置して、第１貫通孔４７を上側、第２貫通孔４８を下側に配置する。なお、導電部材４１，４２と端子部４５，４６と貫通孔４７，４８との組み合わせは変更可能である。
【符号の説明】
【００３５】
１０…筐体、１１…固定接点、１２…可動接点、１３…ハンドル、１４…接続線、１５…電源側端子部、１６…負荷側端子部、１７…挿入口、１８…導電板、２０…プラグ、２１…第１側面、２２…第２側面、３０…連結部材、３１…リード線、３５…電源側端子部、３６…負荷側端子部、３７…挿入口、３８…圧接ばね、４０…連結部材、４１…第１導電部材、４２…第２導電部材、４３…把持部、４５…電源側端子部、４６…負荷側端子部、４７…第１貫通孔、４８…第２貫通孔、４９…導電板。
【図１】
2014199757.tif 000003
【図２】
2014199757.tif 000004
【図３】
2014199757.tif 000005
【図４】
2014199757.tif 000006
【図５】
2014199757.tif 000007
【図６】
2014199757.tif 000008
【図７】
2014199757.tif 000009
【図８】
2014199757.tif 000010